(57)【要約】【課題】迅速かつ簡単に、ＰＯＰ広告の素材がプリントされたシートから、カッターによってＰＯＰ広告の素材を切り抜くことができる手段を提供する。【解決手段】切り抜くべきＰＯＰ広告の素材の外形に対応する形状を有するプレート本体２を備える。プレート本体２は、ＰＯＰ広告の素材上に重ね合わせて置かれ、そのエッジ３においてカッターの刃９を案内する。プレート本体の表面２ａに取っ手４が設けられる。プレート本体の裏面には滑り止め部材が取り付けられる。【選択図】図１
0003101796.tif 000002
【実用新案登録請求の範囲】
【請求項１】
シートにプリントされたＰＯＰ広告の素材をカッターによって切り抜く際に使用される切り抜き用プレートであって、
切り抜くべきＰＯＰ広告の素材の外形に対応する形状を有し、前記ＰＯＰ広告の素材上に重ね合わせて置かれ、そのエッジにおいてカッターの刃を案内するプレート本体と、
前記プレート本体の表面に設けられた取っ手と、
前記プレート本体の裏面に取り付けられた滑り止め部材と、からなっているものであることを特徴とする切り抜き用プレート。
【請求項２】
前記取っ手は、前記プレート本体の表面に突設された、片手で握りしめ易い形状を有するグリップからなっていることを特徴とする請求項１に記載の切り抜き用プレート。
【請求項３】
前記取っ手は、前記プレート本体に取り付けるための吸盤と、前記吸盤の吸着面と反対側の面に取り付けられたリングとからなり、前記リングは、前記プレート本体の表面に対し垂直に起立する第１の位置と、前記プレート本体の表面上に傾倒する第２の位置の２つの位置をとり得るようになっていることを特徴とする請求項１に記載の切り抜き用プレート。
【請求項４】
前記プレート本体は、ガラス板、金属板およびアクリル板のうちのいずれか１つからなっていることを特徴とする請求項１に記載の切り抜き用プレート。
【請求項５】
前記プレート本体がアクリル板からなっているとき、前記プレート本体のエッジは、前記プレート本体の表面に対して鋭角に傾斜して設けられていることを特徴とする請求項４に記載の切り抜き用プレート。
【請求項６】
前記プレート本体がガラス板またはアクリル板からなっているとき、前記プレート本体は、透明または半透明に形成されていることを特徴とする請求項４または請求項５に記載の切り抜き用プレート。
【請求項７】
前記プレート本体は、１．５〜２ｍｍの厚さを有していることを特徴とする請求項１〜請求項６のいずれかに記載の切り抜き用プレート。
【考案の詳細な説明】
【技術分野】
【０００１】
本考案は、ＰＯＰ広告プレートを作成する際に、ＰＯＰ広告の素材がプリントされたシートから、カッターによってＰＯＰ広告の素材を切り抜く時に使用する切り抜き用プレートに関するものである。
【背景技術】
【０００２】
近年、ＤＴＰ等の普及により、ＰＯＰ広告プレートの作成を自社内で行う企業が増えてきている。この場合、ＰＯＰ広告の素材がプリントされたシートから、カッターを用いてＰＯＰ広告の素材を切り抜く必要がある。
【０００３】
この切り抜き作業は、通常、カッターの刃をプリントされたＰＯＰ広告の素材の縁に直接当てて切り抜くことにより、あるいは、ＰＯＰ広告の素材の直線状の部分については、定規を当ててカッターの刃を案内しながら切り抜くことにより行われている。ところが、プリントされたＰＯＰ広告の素材の縁に直接カッターの刃を当てて同じ形状のものを何枚も正確に切り抜く作業には、時間と労力を要し、また、ＰＯＰ広告の素材がプリントされたシートは、通常、表面がラミネートコーティングされていて表面が滑りやすく、当てた定規がずれて切り抜きがうまく行えないという問題を生じていた。
【考案の開示】
【考案が解決しようとする課題】
【０００４】
したがって、本考案の課題は、迅速かつ簡単に、ＰＯＰ広告の素材がプリントされたシートから、カッターによってＰＯＰ広告の素材を切り抜くことができる手段を提供することにある。
【課題を解決するための手段】
【０００５】
上記課題を解決するため、本考案は、シートにプリントされたＰＯＰ広告の素材をカッターによって切り抜く際に使用される切り抜き用プレートであって、切り抜くべきＰＯＰ広告の素材の外形に対応する形状を有し、前記ＰＯＰ広告の素材上に重ね合わせて置かれ、そのエッジにおいてカッターの刃を案内するプレート本体と、前記プレート本体の表面に設けられた取っ手と、前記プレート本体の裏面に取り付けられた滑り止め部材と、からなっているものであることを特徴とする切り抜き用プレートを構成したものである。
【０００６】
上記構成において、好ましくは、前記取っ手は、前記プレート本体の表面に突設された、片手で握りしめ易い形状を有するグリップからなっており、あるいは、前記取っ手は、前記プレート本体に取り付けるための吸盤と、前記吸盤の吸着面と反対側の面に取り付けられたリングとからなり、前記リングは、前記プレート本体の表面に対し垂直に起立する第１の位置と、前記プレート本体の表面上に傾倒する第２の位置の２つの位置をとり得るようになっている。
【０００７】
また好ましくは、前記プレート本体は、ガラス板、金属板およびアクリル板のうちのいずれか１つからなっている。さらには、前記プレート本体がアクリル板からなっているとき、前記プレート本体のエッジは、前記プレート本体の表面に対して鋭角に傾斜して設けられていることが好ましい。また、好ましくは、前記プレート本体がガラス板またはアクリル板からなっているとき、前記プレート本体は、透明または半透明に形成されている。さらに好ましくは、前記プレート本体は、１．５〜２ｍｍの厚さを有している。
【考案の効果】
【０００８】
本考案によれば、シートにプリントされたＰＯＰ広告の素材の上にプレート本体を重ね合わせ、プレート本体のエッジに沿ってカッターの刃を動かすだけで、簡単にＰＯＰ広告の素材をシートから切り抜くことができる。しかも、この場合、プレート本体は、滑り止め部材により、カッターの刃による切断作業の間に安定して置かれ、ずれることがない。したがって、迅速かつ正確に、同一形状のＰＯＰ広告の素材を何枚も切り抜くことができる。
【考案を実施するための最良の形態】
【０００９】
以下、添付図面を参照して本考案の好ましい実施例について説明する。図１は、本考案の１実施例による切り抜き用プレートを示した図であり、（Ａ）は、斜視図であり、（Ｂ）は、裏面から見た平面図であり、（Ｃ）は、プレート本体のエッジの構成の１例を示した部分側面図である。図１を参照して、本考案による切り抜き用プレート１は、切り抜くべきＰＯＰ広告の素材の外形に対応する形状を有するプレート本体２を備えている。プレート本体２は、ＰＯＰ広告の素材上に重ね合わせて置かれ、そのエッジにおいてカッターの刃を案内する。
【００１０】
プレート本体２は、ガラス板、金属板およびアクリル板のうちのいずれか１つからなっており、好ましくは、１．５〜２ｍｍの厚さを有している。プレート本体２が、ガラス板またはアクリル板からなっているときは、プレート本体２は、透明または半透明に形成される。それによって、本考案の切り抜き用プレートが切り抜くべきＰＯＰ広告の素材上に当てられたときに、プレートの外側からＰＯＰ広告の素材が視認でき、切り抜き作業を正確かつ迅速に行うことができる。
【００１１】
プレート本体の表面２ａには、取っ手４が設けられている。この実施例では、取っ手４は、プレート本体の表面２ａに突設された、片手で握りしめ易い形状を有するグリップからなっている。グリップには、片手の親指以外の４本の指の位置の固定を容易にするための凹部４ａが形成されている。
【００１２】
プレート本体の裏面２ｂには、滑り止め部材、この実施例では、滑り止めテープ５が取り付けられている。滑り止めテープ５としては、種々の公知のものが使用可能であるが、この実施例では、基材の一方の面に吸着性を有する樹脂層が設けられ、他方の面に粘着材層が設けられたテープを、その粘着材層によってプレート本体の裏面２ｂに貼着し、吸着性を有する樹脂層によって滑り止め作用を生じさせるようにしている。
【００１３】
また、プレート本体２がアクリル板からなっているときは、図１（Ｃ）に示されるように、プレート本体２のエッジ３は、プレート本体の表面２ａに対して鋭角に傾斜して設けられる。それによって、ＰＯＰ広告の素材の切り抜きの際に、プレート本体２が、カッターの刃９によって削り取られてしまうことが防止される。
【００１４】
次に、本考案の切り抜き用プレート１の使用方法について説明する。切り抜き用プレート１は、図２に示されるような、シート６にプリントされたＰＯＰ広告の素材７をカッターによって切り抜く際に使用される。切り抜き用プレート１は、シート６上の抜かれるべきＰＯＰ広告の素材７に重ね合わせて置かれる。そして、使用者は、片方の手で、取っ手（グリップ）４を握り、プレート本体２をシート６上に軽く押しつけた状態で、もう一方の手で持ったカッターをプレート１のエッジに沿って動かしていく。このとき、プレート１は、プレート本体の裏面２ｂの滑り止めテープ５によってシート６上に動かないように固定される。そして、カッターの刃９がプレート１のエッジ３に沿って案内され、ＰＯＰ広告の素材７の外縁８が切断される。
【００１５】
本考案の切り抜き用プレート１によれば、シート６にプリントされたＰＯＰ広告の素材７の上にプレート本体２を重ね合わせて置き、プレート本体２のエッジ３に沿ってカッターの刃９を動かすだけで、ＰＯＰ広告の素材７をシート６から切り抜くことができる。この場合、プレート本体２は、滑り止めテープ５により、カッターの刃９による切断作業の間に安定して置かれ、ずれることがない。こうして、迅速かつ正確に、同一形状のＰＯＰ広告の素材７を何枚も切り抜くことができる。
【００１６】
図３は、本考案の別の実施例による切り抜き用プレートを示した図であり、（Ａ）は斜視図であり、（Ｂ）は裏面から見た平面図である。図３に示した実施例は、図１の実施例と、実質上、プレート本体の形状およびプレート本体に取り付けられた取っ手の構造が相違しているだけである。
図３を参照して、本考案の切り抜き用プレート１０は、切り抜くべきＰＯＰ広告の素材の外形に対応する形状を有し、ＰＯＰ広告の素材上に重ね合わせて置かれ、そのエッジ１２においてカッターの刃を案内するプレート本体１１を備えている。プレート本体１１は、ガラス板、金属板およびアクリル板のうちのいずれか１つからなっている。
【００１７】
プレート本体の表面１１ａには、取っ手が設けられている。この実施例では、取っ手は、プレート本体の表面１１ａに取り付けるための吸盤１４と、吸盤１４の吸着面と反対側の面に吸盤１４と一体形成されたリング支持部１５と、リング支持部１５に取り付けられたリング１６とからなっている。リング１６は、プレート本体の表面１１ａに対し垂直に起立する第１の位置と、プレート本体の表面１１ｂ上に傾倒する第２の位置の２つの位置をとり得るようになっている。
そして、切り抜き用プレートの使用時には、第１の位置にあるリング１６が使用者の片手の指で把持され、切り抜き用プレートが収納される時には、リング１６は第２の位置におかれて嵩張らないようになっている。
プレート本体の裏面１１ｂには、滑り止めテープ１７が取り付けられている。
【００１８】
この実施例においても、切り抜き用プレート１０の使用方法は、図１の実施例の場合と同様であり、また図１の実施例の場合と同様の効果が得られることは言うまでもない。
【図面の簡単な説明】
【００１９】
【図１】本考案の１実施例による切り抜き用プレートを示した図であり、（Ａ）は斜視図であり、（Ｂ）は裏面から見た平面図であり、（Ｃ）はプレート本体のエッジの構成の１例を示した部分側面図である。
【図２】本考案による切り抜き用プレートが適用される、ＰＯＰ広告の素材がプリントされたシートの１例を示した平面図である。
【図３】本考案の別の実施例による切り抜き用プレートを示した図であり、（Ａ）は斜視図であり、（Ｂ）は裏面から見た平面図である。
【符号の説明】
【００２０】
１  切り抜き用プレート
２  プレート本体
２ａ  プレート本体の表面
２ｂ  プレート本体の裏面
３  プレート本体のエッジ
４  取っ手
５  滑り止めテープ（滑り止め部材）
９  カッターの刃
【図１】
0003101796.tif 000003
【図２】
0003101796.tif 000004
【図３】
0003101796.tif 000005